(57)【要約】  データ取得部（１０１）は、機器分類指標データベース（２０１）から機器分類指標データを取得する。分類指標定量化部（１０２）は、機器分類指標データに含まれる定性的データを、定性的データ間の類似度を示す定量的データに変換する。機器分類部（１０３）は、定量的データを用いて機器単位で設備を分類する。
2017149598.tif 000002
【特許請求の範囲】
【請求項１】
各々が単数または複数の機器から構成される複数の設備における前記各機器の監視データから得られる当該各機器に固有の情報である機器分類指標データを取得するデータ取得部と、
前記機器分類指標データに含まれる定性的データを、定性的データ間の類似度を示す定量的データに変換する分類指標定量化部と、
前記定量的データを用いて機器単位で設備を分類する機器分類部とを備えたことを特徴とする機器分類装置。
【請求項２】
各々が単数または複数の機器から構成される複数の設備における前記各機器の監視データから得られる当該各機器に固有の情報である機器分類指標データを取得するデータ取得部と、
前記機器分類指標データに含まれる定性的データを、定性的データ間の類似度を示す定量的データに変換する分類指標定量化部と、
前記定量的データを、前記各機器の特徴の差異を示す特徴量に変換する特徴量変換部と、
前記特徴量が近い機器を特徴が類似した機器として当該機器単位で設備を分類する機器分類部とを備えたことを特徴とする機器分類装置。
【発明の詳細な説明】
【技術分野】
【０００１】
本発明は、設備を構成する機器単位で設備を分類する機器分類装置に関するものである。
【背景技術】
【０００２】
昇降機、空調等、同種のものが多様な環境に複数存在する設備において、同じ特徴を持つもの毎に分類することは有用である。例えば特許文献１に記載された従来のシステムでは、建物設備での省エネルギを目的とした照明・空調の制御において、昇降機を同じ特徴を持つもの毎に分類している。特許文献１に記載されたシステムでは、昇降機稼働情報を利用して、共用部の人流量や、室の在室人数、在室率を曜日、時間帯毎などでパターン化し、制御スケジュールを計画している。ここで、昇降機稼働情報を取得できない建物において、同じ特徴を持つ類似建物の解析結果を流用するために、建物の分類を行っている。
【先行技術文献】
【特許文献】
【０００３】
【特許文献１】特開２００５−１０４６３５号公報
【発明の概要】
【発明が解決しようとする課題】
【０００４】
昇降機、空調等の設備を構成する機器に対して故障や異常等の解析をする場合、複数の設備・機器を同種、同特徴の機器で分類し解析することで、単一設備のみでの解析と比較し、故障や異常の検出精度の向上が見込まれる。
しかしながら、従来の手法では、昇降機といった設備単位で分類しているため、異なる特徴を持つ機器であっても、設備単位で同種、同特徴であれば機器としては分類できないという問題があった。例えば、昇降機Ａを構成するドア機器と昇降機Ｂを構成するドア機器が、同型ではあるが特徴が異なる機器の場合であっても、従来では昇降機Ａと昇降機Ｂは昇降機という設備として同特徴と判定されると、どちらのドア機器も同特徴として分類されてしまう。【０００５】
また、従来の手法では、分類に利用する指標は昇降機稼働情報、昇降機の用途、規模であったが、故障や異常等の解析の場合、過去の故障履歴、設備・機器の設置環境、機器交換情報など多くの情報を考慮し分類することで、分類精度の向上が見込める。これらの情報は必ずしも数値からなる定量的データではなく、文字情報を含む定性的データであることもある。ところが、従来の手法では、定性的データに基づいて分類する場合、異なる定性的データ同士がどの程度類似しているかの評価は考慮していない。その結果、異常の原因解析を十分に行うことができず、異常検出精度の低下等に繋がるという問題があった。【０００６】
この発明は、かかる問題を解決するためになされたもので、機器の故障や異常等の解析を精度良く行うことのできる機器分類装置を提供することを目的とする。
【課題を解決するための手段】
【０００７】
この発明に係る機器分類装置は、各々が単数または複数の機器から構成される複数の設備における各機器の監視データから得られる各機器に固有の情報である機器分類指標データを取得するデータ取得部と、機器分類指標データに含まれる定性的データを、定性的データ間の類似度を示す定量的データに変換する分類指標定量化部と、定量的データを用いて機器単位で設備を分類する機器分類部とを備えたものである。
【発明の効果】
【０００８】
この発明に係る機器分類装置は、機器分類指標データに含まれる定性的データを、定性的データ間の類似度を示す定量的データに変換し、この定量的データを用いて機器単位で設備を分類するようにしたものである。これにより、機器の故障や異常等の解析を精度良く行うことができる。
【図面の簡単な説明】
【０００９】
【図１】この発明の実施の形態１の機器分類装置の構成図である。
【図２】この発明の実施の形態１の機器分類装置が用いる保守実績データ例を示す説明図である。
【図３】この発明の実施の形態１の機器分類装置のハードウェア構成図である。
【図４】この発明の実施の形態１の機器分類装置の機器分類処理を示すフローチャートである。
【図５】この発明の実施の形態１の機器分類装置が用いる定量的データ例を示す説明図である。
【図６】この発明の実施の形態１の機器分類装置の定性的データ類似度の事前情報がある場合の機器分類処理を示すフローチャートである。
【図７】図７Ａ，図７Ｂ，図７Ｃは、この発明の実施の形態１の機器分類装置の事前情報例を示す説明図である。
【図８】この発明の実施の形態１の機器分類装置の定量的データの分類例を示す説明図である。
【図９】この発明の実施の形態１の機器分類装置の機器毎の特徴量を示す説明図である。
【図１０】この発明の実施の形態２の機器分類装置の構成図である。
【発明を実施するための形態】
【００１０】
以下、この発明をより詳細に説明するために、この発明を実施するための形態について、添付の図面に従って説明する。
実施の形態１．
図１は、本実施の形態による機器分類装置１００を含む監視システムの構成図である。
図示の監視システムにおいて、機器分類装置１００はデータ収集管理装置２００と接続され、データ収集管理装置２００はネットワーク３００を介して監視対象４００と接続されている。
機器分類装置１００は、データ取得部１０１と分類指標定量化部１０２と機器分類部１０３とを備える。データ取得部１０１は、データ収集管理装置２００が管理する機器分類指標データベース２０１から機器分類指標データを取得する処理部である。分類指標定量化部１０２は、機器分類指標データに含まれる定性的データを定量的データに変換する処理部である。機器分類部１０３は、分類指標定量化部１０２で生成された定量的データを用いて機器単位で設備を分類する処理部である。
【００１１】
データ収集管理装置２００は、監視対象４００からの監視データを収集して機器分類指標データベース２０１として蓄積し管理する装置である。機器分類指標データベース２０１に蓄積される監視データとは、監視対象４００に対する保守員の点検や設備情報により作成されたデータ（例えば保守実績データ）など、監視対象４００から直接的または間接的に得られたデータを指す。機器分類指標データベース２０１に蓄積される機器分類指標データとして、昇降機を例とした保守実績データの例を図２に示す。
【００１２】
図２では、一つの設備の一つの機器に対する保守員の点検や設備情報から得られる保守実績データ例を示している。保守実績データ例ではデータ項目の例として、設備ＩＤ、機種ＩＤ、機器ＩＤ、設置地域、作業者名、保守作業内容、異常の有無などを記載している。これらデータ項目の値は一例である。データ項目は、実際の設備、機器から収集した保守実績データの項目を格納するために変更可能である。また、設備、機器を区別可能であれば、複数の設備、機器のデータを集約し、一つの表としても構わない。さらに、設備、機器の対応付けが可能であれば、一つの設備の一つの機器のデータが複数の表に分割されていても構わない。また、平常時の保守作業と、故障、異常が発生した場合の保守作業など、形態の異なる保守作業の保守実績データを分割して管理しても構わない。すなわち、機器分類指標データベース２０１に格納される機器分類指標データとしては機器に固有の情報であればどのような情報であってもよい。
【００１３】
監視対象４００は、例えば、昇降機や空調といった、単一または複数の機器からなる設備である。監視対象４００は、同様の機器からなる設備が二つ以上存在することを想定している。ネットワーク３００に接続せず、監視対象４００とデータ収集管理装置２００を直結する構成でも構わない。監視対象４００とデータ収集管理装置２００の接続方法によらず、データ収集管理装置２００と機器分類装置１００をネットワーク接続する構成でも構わない。
【００１４】
図３は、本実施の形態の機器分類装置を実現するためのハードウェア構成を示すブロック図である。図３では、図１の機器分類装置１００とデータ収集管理装置２００を一つのハードウェア上に構成した例を示している。機器分類装置１００及びデータ収集管理装置２００は、プロセッサ１１、メモリ１２、通信Ｉ／Ｆ（インタフェース）装置１３、ストレージ１４、出力装置１５を備える。プロセッサ１１は機器分類装置１００及びデータ収集管理装置２００の機能を実現するためのプロセッサである。メモリ１２は、機器分類装置１００及びデータ収集管理装置２００の機能に対応した各種プログラムを記憶するプログラムメモリ、プロセッサ１１がデータ処理を行う際に使用するワークメモリ及び信号データを展開するメモリ等として使用するＲＯＭ及びＲＡＭ等の記憶部である。通信Ｉ／Ｆ装置１３は、ネットワーク３００等の外部との通信インタフェースである。ストレージ１４は、各種データやプログラムを蓄積するための記憶装置である。出力装置１５は、外部へ処理結果を出力するための装置である。
【００１５】
図１におけるデータ取得部１０１、分類指標定量化部１０２及び機器分類部１０３が行う処理は、メモリ１２に記憶されたプログラムをプロセッサ１１が読み出して実行する。機器分類指標データベース２０１が蓄積するデータは、監視対象４００からネットワーク３００経由で通信Ｉ／Ｆ装置１３を通してストレージ１４に格納される。機器分類部１０３の処理結果は、必要に応じてストレージ１４に格納し、出力装置１５にて外部に出力される。なお、機器分類装置１００とデータ収集管理装置２００とを異なるハードウェア上に構成しても構わない。
【００１６】
次に、本実施の形態の機器分類装置１００の動作について説明する。
データ収集管理装置２００は、監視対象４００から得られた機器分類指標データを機器分類指標データベース２０１へ継続的または断続的に入力する。機器分類装置１００は、機器分類指標データベース２０１から機器分類指標データを取得して処理を行う。図４は機器分類装置１００の処理を示すフローチャートである。
先ず、データ取得部１０１は、機器分類指標データベース２０１より機器分類指標データを取得する（ステップＳＴ１）。なお、機器分類指標データに複数のデータ項目が含まれる場合、データ項目毎に図４のフローを実行する。例えば、機器分類指標データのインデックスとして機器ＩＤが入力された場合、分類された機器ＩＤのリストが出力される。リストの形式は問わないが、一例としては、各分類に分類ＩＤを割り振り、各機器ＩＤと該当する分類ＩＤを１行に格納した表形式での出力がある。また、その他のリストの例としては、分類毎に一つのファイルを作成し、ファイル内に当該分類に属する機器ＩＤを格納する方法もある。
【００１７】
分類指標定量化部１０２では、各機器から入手した機器分類指標データに含まれる定性的データを、類似性の判定が可能な形式として数値からなる定量的データへ変換する。ステップＳＴ２では、入力された機器分類指標データが数値か否かによって定量的データか否かを判断し、その後の処理を分岐する。ステップＳＴ２において定量的データであった場合（ステップＳＴ２：ＹＥＳ）、分類指標定量化部１０２はその処理を終了する。すなわち、分類指標定量化部１０２に入力された機器分類指標データをそのまま機器分類部１０３に出力する。一方、ステップＳＴ２において定量的データでなかった場合（ステップＳＴ２：ＮＯ）は、ステップＳＴ３の処理を実行する。ステップＳＴ３では、定性的データ同士の類似度として、定性的データ間の距離を算出し、距離に応じた値を各データに割り振ることで、定量的データとする。定性的データ間の距離は、ｎ−ｇｒａｍの階層的クラスタ分析など、文字列解析手法により算出し、距離に応じた数値を定量的データとする。ここで、定性的データが、前方の文字ほど大きな括りでの分類を表すため距離への影響が大きく、後方の文字ほど小さな括りでの分類のため距離への影響が小さいなど、文字の位置と距離への影響の関係が既知の場合は、距離算出の際に距離への影響が大きい文字へ重みづけ等の処理をしてもよい。例えば、機器ＩＤの文字列で、前半がメジャーアップデートバージョン番号を表し、後半がマイナーアップデートバージョン番号を表す場合などであれば、前の文字列ほど距離への影響が大きい場合がある。
【００１８】
図５では、定性的データを変換した定量的データ例を示す。図５では、簡単な例として、機器ＩＤの名称が、機器のメジャーアップデートバージョン番号とマイナーアップデートバージョン番号をハイフン記号“−”で繋いで表記した場合の定量的データ例を示している。この定量的データ例では、機器ＩＤがＡＡＡ−０１、ＡＡＡ−０２、ＡＡＡ−０３のものは、メジャーアップデートバージョン番号が同じであり、マイナーアップデートバージョン番号のみ異なるため、近い値を割り振っている。機器ＩＤがＢＢＢ−０１、ＢＢＢ−０２は、ＡＡＡ−０１、ＡＡＡ−０２、ＡＡＡ−０３とはメジャーアップデートバージョン番号が異なるため、遠い値を割り振っている。
【００１９】
ステップＳＴ２において機器分類指標データが定量的データであった場合またはステップＳＴ３の処理を行った後、機器分類部１０３は、多変量解析手法や機械学習手法などにより、入力された値、すなわち、多変量解析等における特徴量が近い機器毎に分類する（ステップＳＴ４）。具体的な分類例については後述する。
【００２０】
一方、事前情報として定性的データ同士の類似度が分かっている場合は、事前情報の類似度を適用しても良い。事前情報では、定性的データの一部に関してのみ指定しても良い。例えば、機器ＩＤのうち、メジャーアップデート番号の類似度のみ指定するなどである。また、事前情報では、定性的データの文字位置毎の重みづけルールを指定しても良い。例えば、機器ＩＤのうち、メジャーアップデート番号とマイナーアップデート番号の重みの比率を指定するなどである。また、定量的データへ変換しない定性的データを、事前情報として与えても良い。
【００２１】
事前情報がある場合の分類指標定量化フローを図６に示す。図４と同じ処理は、同じステップ番号を付している。分類指標定量化部１０２は、先ず、ステップＳＴ２の定量的データか否かの判断ステップにおいて、定量的データではなかった場合（ステップＳＴ２：ＮＯ）、入力された機器分類指標データに関する類似度の事前情報があるか否かを判断し、その後の処理を分岐する（ステップＳＴ５）。ステップＳＴ５において、類似度の事前情報がない場合（ステップＳＴ５：ＮＯ）は、図４のフローと同様にステップＳＴ３の処理を実施する。類似度の事前情報がある場合（ステップＳＴ５：ＹＥＳ）は、ステップＳＴ６の処理にて、与えられた事前情報の類似度に応じた数値を割り振る。ここで、事前情報の類似度が定量的データではなく定性的データである場合は、ステップＳＴ３と同様、定性的データ同士の類似度として、定性的データ間の距離を算出し、距離に応じた値を各データに割り振ることで、定量的データとする。定性的データ間の距離は、ｎ−ｇｒａｍの階層的クラスタ分析など、語間の距離を算出する手法により算出し、距離に応じた数値を定量的データとする。定性的データ間の距離を算出する方法は、ステップＳＴ３と異なる方法を用いても構わない。
【００２２】
図７に事前情報の例を示す。定性的データの類似度を指定する例を図７Ａに示す。図７Ａは機器ＩＤの前方３文字の類似度を指定する例であり、機器ＩＤがＡＡＡとＢＢＢの機器は比較的類似度が高く、機器ＩＤがＣＣＣの機器は機器ＩＤがＡＡＡとＢＢＢの機器より比較的類似度が低いことを表している。また、定性的データの文字位置毎の重みづけルールを指定する例を図７Ｂに示す。図７Ｂは機器ＩＤの文字位置毎の重みづけルールの例であり、機器ＩＤの１〜３文字目の重みを重くするため１０とし、５〜６文字目の重みを１〜３文字目より軽くするため１とした場合の例である。なお、４文字目はハイフンであるため重みづけルールから除外している。また、定量的データへ変換しない定性的データを指定する例を図７Ｃに示す。図７Ｃでは設備ＩＤを定量化しない場合を示している。図７Ａ、図７Ｂ、図７Ｃは指定する情報の例であり、情報の与え方は変更しても構わない。
【００２３】
別の例として、機器の保守作業の結果として記載されたフリーテキストを機器分類指標データとして利用しても構わない。例えば、保守作業の結果記載されたフリーテキスト中に含まれる“異常有”、“処置済み”、“原因は事象Ａ”などの単語を形態素解析により抽出し、類似した形態素が多いテキストに、近い数値を割り振るなどである。
【００２４】
機器分類部１０３では、各機器を特徴が類似した機器毎に分類するため、分類指標定量化部１０２にて変換した定量的データを複数の機器分入力し、定量的データが近い値の機器毎に分類する。定量的データは、一つのデータ項目のみ入力しても良いし、複数のデータ項目をまとめて入力してもよい。図４または図６のステップＳＴ４では、デンドログラムなどの階層的クラスタ分析やｋ−ｍｅａｎｓ法などの非階層的クラスタ分析などの一般的な多変量解析手法や、サポートベクターマシンなどの一般的な機械学習手法を利用してもよい。分類の例を図８に示す。
【００２５】
図８は、定量的データの分類の例として、三つの機器の定量的データを複数のデータ項目分入力し、主成分分析等の多変量解析手法を実行した際の特徴量空間として、特徴量１と特徴量２を２次元散布図上に模式的に表示したものである。図８では、特徴量値８０１と特徴量値８０２は、散布図上での距離が近いため、一つの分類８０４としてまとめられたことを示している。特徴量値８０３は、特徴量値８０１と特徴量値８０２から散布図上での距離が遠いため、分類８０４とは別の分類８０５とされたことを示している。このように分類する方法として、特徴量値８０１，８０２，８０３それぞれの間の距離を算出し、距離の閾値により分類する最近隣法や、予め分類の数を決めておくｋ−ｍｅａｎｓ法など、一般的なクラスタ分析法を利用しても構わない。
【００２６】
本発明の一つの用途として、機器の故障・異常解析がある。例えば、機器の保守計画を立案するために将来故障する時期を予測する場合、機器から得られたデータから、統計的な故障発生頻度や劣化傾向から将来故障が発生する確率（故障リスク）を予測し、保守が必要となる時期を推測する手法がある。
ここで、類似した特徴を有する機器は、故障が発生する確率や劣化傾向も類似する可能性が高いため、類似した特徴毎に機器を分類することは故障リスクを予測するためにも有用である。より類似した機器毎に分類することは、故障リスクの予測精度向上につながる。故障リスクを算出するために使用するデータは、本実施の形態の機器分類装置１００にて使用したデータと同じでもよく、他のデータを使用してもよい。故障リスク推定時は、機器単位で故障リスクの予測が可能であるが、同設備を構成する複数の機器の相関関係など、複数の機器の故障リスクを総合的に判断し、設備単位での故障リスクを予測しても構わない。
【００２７】
次に、実施の形態１の効果を説明する。図９は、機器毎の特徴量の例として、機器１、機器２の二つの機器について、設備ａ、設備ｂ、設備ｃの三つの設備からデータを集め、特徴量を算出し、それぞれ二つの特徴量から作成した２次元散布図上に表現したものである。機器１の設備特徴量を９０１に、機器２の設備特徴量を９０２として示す。
従来法では、設備単位の分類のため、設備ａ、設備ｂ、設備ｃが同じ特徴をもつ設備と分類された場合は、機器１、機器２の特徴に関わらず、同じ分類とされていた。一方、実施の形態１では、例えば機器１の設備特徴量９０１において、設備ａと設備ｂを一つの分類、設備ｃを別の分類とした場合でも、機器２の設備特徴量９０２では設備ａと設備ｃを一つの分類、設備ｂを別の分類とするなど、機器単位で分類することが可能となる。
【００２８】
同じ特徴をもつ機器毎に分類することで、機器の故障リスクの予測精度、故障・異常検出の精度などの向上が期待できる。また、類似した機器毎に分類することで、ある機器で故障・異常等が発見された場合に、同じ特徴をもつ機器を抽出し保守することで他の機器での故障・異常を未然に防ぐ、機器毎の保守作業のスケジューリングによる保守効率化が期待できる。例えば、昇降機Ａのドア開閉モータのトルク低下により閉じ込めが発生した場合に、同じ特徴を持つ他の昇降機のドア開閉モータにトルク低下の兆候がないかを点検、保守することで、故障や事故を削減することが期待できる。別の例として、昇降機Ａのドア開閉モータのトルク低下が検出された場合に、同じ特徴を持つ他の昇降機のドア開閉モータにおいてもトルク低下が発生する可能性があるがすぐに対処する必要がなければ、保守作業を適切にスケジューリングすることで作業の効率化が期待できる。
【００２９】
以上説明したように、実施の形態１の機器分類装置によれば、各々が単数または複数の機器から構成される複数の設備における各機器の監視データから得られる各機器に固有の情報である機器分類指標データを取得するデータ取得部と、機器分類指標データに含まれる定性的データを、定性的データ間の類似度を示す定量的データに変換する分類指標定量化部と、定量的データを用いて機器単位で設備を分類する機器分類部とを備えたので、機器の故障や異常等の解析を精度良く行うことができる。
【００３０】
実施の形態２．
実施の形態１では分類指標定量化部１０２で定量化した機器分類指標データに基づいて機器分類部１０３が機器毎の分類を行うようにした。これに対し、分類指標定量化部１０２にて定量化した機器分類指標データを、機器分類部１０３へ入力する前に、各機器の特徴の差異を強調するために特徴量へ変換し、機器分類部１０３がこの特徴量に基づいて機器毎に分類するようにしても良く、これを実施の形態２として説明する。
【００３１】
特徴量へ変換する目的は、複数の機器分類指標データから機器を分類する場合に、機器毎の差異を明確化することである。機器分類指標データ一つのみから機器分類する場合は、定量的データに変換する際に類似した機器分類指標データには近い値を割り振っているため、機器分類指標データの値のみによって分類可能である。しかし、機器分類指標データ複数から機器分類する場合は、ある機器分類指標データは近い値の機器であっても、別の機器分類指標データは遠い値を持つ場合がある。このような場合、機器分類指標データの値そのままでは機器毎の差異が明確には分からないため、機器を正しく分類できない。そこで、複数の機器分類指標データから、機器毎の差異を明確化するような特徴量を求めることで、機器をより正しく分類できる可能性がある。例えば、機種ＩＤ、設置地域等複数の機器分類指標データから、ＭＴ法での距離を利用し、特徴量とする方法がある。特徴量としては、例えば主成分分析の各主成分、回帰分析での回帰係数と誤差、パターンマッチング法での類似度等の多変量解析手法など、一般的な手法でもよい。
【００３２】
図１０は、実施の形態２の機器分類装置１００ａを適用した監視システムの構成図である。実施の形態２の機器分類装置１００ａは、データ取得部１０１、分類指標定量化部１０２、機器分類部１０３ａ及び特徴量変換部１０４を備えている。ここでデータ取得部１０１及び分類指標定量化部１０２は実施の形態１と同様である。特徴量変換部１０４は、分類指標定量化部１０２で定量化された機器分類指標データを特徴量に変換する処理部である。機器分類部１０３ａは、特徴量変換部１０４で変換された特徴量を用いて機器を分類する処理部である。なお、図１０において、データ収集管理装置２００、ネットワーク３００及び監視対象４００は図１に示した実施の形態１と同様である。
【００３３】
このように構成された機器分類装置１００ａでは、分類指標定量化部１０２にて生成した定量的データを、機器分類部１０３ａへ入力する前に、特徴量変換部１０４が定量的データを特徴量へ変換する。機器分類部１０３ａは、特徴量変換部１０４から特徴量を取得し、特徴量の値が類似した機器を、特徴が類似した機器として分類する。なお、特徴量変換部１０４が、分類指標定量化部１０２で生成した定量的データを全て特徴量に変換するのではなく、一部のみ変換する構成であっても良い。一部のみ変換した場合、機器分類部１０３ａは、変換された特徴量と定量的データの双方を用いて分類を行う。
【００３４】
以上説明したように実施の形態２の機器分類装置によれば、各々が単数または複数の機器から構成される複数の設備における各機器の監視データから得られる各機器に固有の情報である機器分類指標データを取得するデータ取得部と、機器分類指標データに含まれる定性的データを、定性的データ間の類似度を示す定量的データに変換する分類指標定量化部と、定量的データを、各機器の特徴の差異を示す特徴量に変換する特徴量変換部と、特徴量が近い機器を特徴が類似した機器として機器単位で設備を分類する機器分類部とを備えたので、機器の故障や異常等の解析をさらに精度良く行うことができる。
【００３５】
なお、本願発明はその発明の範囲内において、各実施の形態の自由な組み合わせ、あるいは各実施の形態の任意の構成要素の変形、もしくは各実施の形態において任意の構成要素の省略が可能である。
【産業上の利用可能性】
【００３６】
以上のように、この発明に係る機器分類装置は、複数の設備に対して、これらの設備が持つ機器毎に各設備を分類するものであり、昇降機や空調等、同種のものが異なる環境に複数存在する設備に対して用いるのに適している。
【符号の説明】
【００３７】
１００，１００ａ  機器分類装置、１０１  データ取得部、１０２  分類指標定量化部、１０３，１０３ａ  機器分類部、１０４  特徴量変換部、２００  データ収集管理装置、２０１  機器分類指標データベース、３００  ネットワーク、４００  監視対象。
【図１】
2017149598.tif 000003
【図２】
2017149598.tif 000004
【図３】
2017149598.tif 000005
【図４】
2017149598.tif 000006
【図５】
2017149598.tif 000007
【図６】
2017149598.tif 000008
【図７】
2017149598.tif 000009
【図８】
2017149598.tif 000010
【図９】
2017149598.tif 000011
【図１０】
2017149598.tif 000012
【国際調査報告】
2017149598.tif 000013
2017149598.tif 000014